(57)【特許請求の範囲】
【請求項１】
上水道途次に繋ぎ込まれた貯水槽であって、
前記貯水槽内を縦に２等分する隔て板を前記貯水槽内に設け、
前記隔て板は、その左右と上部を前記貯水槽の内壁、及び上蓋内部の３方向に接して
いて、前記貯水槽の底蓋とは隙間を有して設置してあり、
前記隔て板には複数の孔を設け、
前記底蓋に取水口のバルブを取り付け、
前記貯水槽は、円筒型であって、
前記貯水槽の上蓋に入水口、流出口を設け、
前記流出口に取水口バルブを設け、
前記取水口バルブに吸排気口バルブを併設し、
水道水は前記入水口から前記貯水槽内に導入され、前記貯水槽内の前記水道水は、前
記貯水槽の曲面状の内壁に向けて噴出させるものであり、
前記複数の孔は、前記隔て板と接する前記貯水槽の内壁と、前記上蓋内部とで構成される入隅部の前記隔て板の上部及び左右に設けたものである
ことを特徴とする貯水槽。
【発明の詳細な説明】
【技術分野】
【０００１】
本発明は地震・台風等で水道が断水した時、各家庭や小規模レストラン・商店等で、必要とする飲料水をはじめ、食料用水等に供するための、新鮮な水を貯水確保する非常用小型給水器で、特別に水を汲み置きすることなく、自家の水道の途次に組み込むことに依り、自動的に水が循環している貯水槽であって、常に新鮮な水を満杯に確保しつつ、必要に応じて容易に貯水を取り出しながら、貯水に水流を喚起して、水を新鮮に保つ給水器の技術分野。
【背景技術】
【０００２】
図５は「実用新案出願公開番号」実開平６−７６０１４ 公開日 平成６年（１９９４）１０月２５日で、考案の名称は「非常用水タンク」であって、その断面図である。
【０００３】
中空容器１の上部側面に、水道管の上流に連絡される入水口４が、対面上部に水道管の下流に連絡される排水口５が設けられている。
【０００４】
更に中空容器１の内部には隔壁２ａ・２ｂを設置して、入水口４から流入した水は、流路３に示された如く隔壁をくぐったり、超えたりして、排水口５より排出される構造であるが、
【０００５】
中空容器１と、隔壁の設置接触部に依って構成される入隅部分に、滞水域が発生して、水が十分に循環するとは言えない。
【０００６】
併せて、断水時には水道管から中空容器１を取り外して、容器を傾けるか、ポンプを使うかして、容器内の水を取り出さなければならないので、老人や子供には操作が困難である。
【０００７】
図６は「登録番号」第３０３９６７９号 「登録日」平成９年（１９９７）５月１４日に係るもので、考案の名称は「循環式簡易非常給水器」である。
【０００８】
水道水は既設の蛇口１０から、圧力給水ホース６を通って、密閉型水タンク１の下部に、給水に依って水を循環させるべくタンク下部に設けた、給水兼非常取水器７を経て、同タンク１に注水されて満タンになった水は、タンク上部の取水口２から各所に配水されているものである。
【０００９】
このことから、断水で給水されなくなった状態では、タンク下部に設けた給水兼非常時取水器７の給水口より低位置に逆流して、同タンク１の水は空になってしまう。
【００１０】
タンク１の容量が１０ｌ程度の少量であるならば、十分に循環するものと推察されるが、水道水の水圧に耐えうる容器とした場合の総重量は、有に１０ｋｇを大きく超えるので、容易な運搬は困難である。
【００１１】
昨今大地震災害時の飲料水を、「１人１日３ｌを１週間分確保」が叫ばれている。４人家族として８２ｌ必要とされるので、タンク１の容量を８２ｌとした時、給水兼非常取水器７から注水された水が、十分に循環しない恐れがある。
【００１２】
これらを勘案するに、従来の技術では、家庭に簡単に設置して、水を自動的に循環させて腐敗を防止し、断水時に満水状態が維持されていて、工具・用具を用いないで、飲食用水として、非力な人にも容易に取り出せることが求められる、非常用小型給水器たり得るものではない。
【先行技術文献】
【非特許文献】
【００１３】
【非特許文献１】実用新案出願公開番号 実開平６−７６０１４ 公開日 平成６年（１９９４）１０月２５日 考案の名称 非常用水タンク
【００１４】
【非特許文献２】実用新案登録番号 第３０３９６７９号 登録日 平成９年（１９９７）５月１４日 考案の名称 循環式簡易非常給水器
【発明の概要】
【発明が解決しようとする課題】
【００１５】
各家庭で安価な小型貯水槽を、簡単に上水道の途次に繋ぎ込んで、水槽内の構造上の入隅部分であっても、常に水道水の水圧で確実に循環させながら貯水して、水道が断水しても水槽内の水が流失することなく、工具・用具を使用することなく、非力な人でも容易に飲食用水の取り出しを、可能ならしめることである。
【課題を解決するための手段】
【００１６】
水槽内の入隅部分に、発生が予見される滞流水を無くする為に、中空円柱の上下を蓋した密閉容器の上蓋に設けた入水口を、家庭で常用している水道配管の上流部位に接続して、水道を使用するたびに、水道水をその水圧に依って本発明の密閉容器の曲面状の内壁に向けて噴出させる。
【００１７】
この水は左右上下に流れて、多大な水流を得るために密閉容器内を、縦に２等分する位置に設置した隔て板にも向かう。
【００１８】
隔て板は、その左右と上部を密閉容器の内壁、及び上蓋内部の３方向に接していて、底蓋とは水道水がその水圧を減圧する事無く、流通することが出来る隙間を有して設置している。
【００１９】
尚、密閉容器への最初の給水時は、予め解放した吸排気口バルブから、水が吹き出てから閉鎖するものとする。
【発明の効果】
【００２０】
以上の説明で明らかにしたように、本発明にあっては次に列挙する効果が得られる。
【００２１】
先に［０００５］で指摘した「入隅部分の滞水の懸念」については、隔て板と接する密閉容器の内壁と、上蓋内部とで構成される入隅部の、隔て板の上部及び左右に孔を設けて、水を流通させているので、入隅部に滞留水は発生しない。
【００２２】
又、［０００８］と［０００９］で指摘した「断水時にタンク内の水が、タンク下部に設置した給水口から低い位置に逆流して、タンクが空になってしまう」と云う懸念については、入水口・出水口共に密閉容器の上蓋に設置してあるので、断水になっても上蓋の内部に接している貯水が、入水口からわずかに流出するが、其れによって貯水面とに空間が出来て、水の流出は止まるので、密閉容器が空になることは無い。
【００２３】
更に、［００１１］で指摘した「循環不足の恐れ」については、［００１７］と［００１８］で述べた『隔て板』を設置することに依って、十分な循環を得ている。
【００２４】
このことに依り、家庭で水道の蛇口を開ける毎に、密閉容器の水は流通循環して、常に新鮮に満杯を保って、上蓋の入水口の反対側に設けた出水口に、水道配管下流部を接続して、家庭内各所に配水している。
【００２５】
断水時には、出水口バルブに併設した吸排気口バルブを解放して、密閉容器底蓋中央に取り付けた取水口のバルブを、解放することによって、貯水は自重で出てくる。
【００２６】
このことに依り、緊急用水として水道水を新鮮に確保して、水道が断水しても飲食用水として、容易に取り出せるものである。
【図面の簡単な説明】
【００２７】
【図１】本発明を実施する為の「平面図」である。
【図２】本発明を実施する為の［図１］の「イ―イ´断面水道使用中図」である。
【図３】本発明を実施する為の［図１］の「イ―イ´断面水道断水中図」である。
【図４】本発明を実施する為の［図２］の「ロ―ロ´断面図」である。
【図５】［先行技術文献］［００１３］の［非特許物件１］の「断面図」である。
【図６】［先行技術文献］［００１４］の［非特許物件２］の「断面図」である。
【発明を実施するための形態】
【００２８】
本発明の実施の形態を図に基づいて説明する。
【実施例】
【００２９】
［図１］『平面図』・［図２］『イ―イ´断面水道使用中図』・［図４］『イ―イ´断面水道断水中図』（以下それぞれを［図１］・［図２］・［図３］・［図４］と記述する）に示す円筒の上下を、蓋をして密閉した容器を「▲１▼円筒型貯水槽」と称する。
【００３０】
［図１］・［図２］の「▲１▼円筒型貯水槽」の内部に表示した矢印は、水道使用中の水を流動させる方向を示している。
【００３１】
［図１］〜［図４］に示す「▲１▼円筒型貯水槽」は、「▲２▼上蓋」に設けた「▲６▼入水口バルブ」を、常に使用している水道途次の上流部位に接続して、下流部位に「▲８▼出水口バルブ」を、接続している。
【００３２】
水道水は「▲６▼入水口」から「▲１▼円筒型貯水槽」内に導入されて、［図２］示す通り、水の射出方向を「▲１▼円筒型貯水槽」の内壁に向けて設けた「▲７▼水射出エルボ」から、その水圧に依って射出されて、「▲１▼円筒型貯水槽」の曲面内壁に沿って左右に流動するもの、上に向かって「▲２▼上蓋」に沿って流動するものや、下に向かうものを発生させる。
【００３３】
より多くの水流を得るために、［図４］に示す「▲１▼円筒型貯水槽」の内壁と「▲２▼上蓋」に接して設けた「▲４▼隔て板」に沿って流動するものもある。
【００３４】
更に、「▲４▼隔て板」と「▲１▼円筒型貯水槽」及び、「▲２▼上蓋」の内壁が形成する入隅部に、水を滞留させない為に、「▲４▼隔て板」に「▲５▼水通過孔」を設けて、［図２］示す［▲１▼円筒型貯水槽」の「▲１５▼右室」から「▲１６▼左室」へ、矢印の様に一部の水を流通させる。
【００３５】
この水は、「▲４▼隔て板」の下端と「▲３▼底蓋兼ベースプレート」との間に設けた「▲１４▼隙間」を流通して「▲１５▼右室」から「▲１６▼左室」に流入する水に混入される。
【００３６】
これらに依って「▲１▼円筒型貯水槽」内の水は、矢印で示す如く満遍無く流動して、入隅部でも水が滞留することなく、「▲１７▼流出口」に向かって流動して「▲８▼出水口バルブ」を経て、家事用水として配水される。
【００３７】
これに依って「▲１▼円筒型貯水槽」内の水は、隅々まで複雑に流動循環するので、腐敗の恐れは無い。
【００３８】
「▲１７▼流出口」・「▲８▼出水口」を「▲１▼円筒型貯水槽」貯水槽最上部に設置して、断水時に「▲８▼出水口」より低位置に存在する家事用水の締め忘れ蛇口等から、貯水が流失することを防いでいる。
【００３９】
［図３］『断面図２−２』に示す「▲１▼円筒型貯水槽」内の矢印は、水道断水時に「▲２０▼吸排気口バルブ」を解放して、「▲９▼断水時取水バルブ」を解放することに依って、「▲１▼円筒型貯水槽」内に蓄えられた水道水が自重で、「▲１８▼貯水流入口」を経て「▲１９▼断水時取水口」から流れ出る時に起きる、水流の方向を示したものであって、これを取り出して飲食用水として緊急の用に供するものである。
【００４０】
［図１］『平面図』に示す様に、「▲４▼隔板」は「▲１▼円筒型貯水槽」を縦に２等分する位置に設置してある。
【００４１】
「▲３▼底蓋兼ベースプレート」の中央に設けた「▲１８▼貯水流入口」へは、「▲１▼円筒型貯水槽」の「▲１５▼右室」、「▲１６▼左室」の貯水が偏ることなく集合して、「▲１９▼断水時取水口」から取り出せるものである。
【００４２】
本発明の『非常用水循環型貯水槽』を、家庭に設置して実用する為に、［図２］〜［図４］に示す「▲１３▼基礎コンクリート」に埋め込まれた「▲１２▼アンカーボルト」で、「▲１０▼架台」を強固に固定して、その上面に「▲１▼円筒型貯水槽」を垂直に、ベースプレートでもある「▲３▼底蓋兼ベースプレート」を「▲１１▼取付ボルト」で強固に固定した『非常用水循環型貯水槽』である。
【産業上の利用可能性】
【００４３】
本発明は、非常用水循環型貯水槽を製造する産業で利用される。
【符号の説明】
【００４４】
▲１▼ 円筒型貯水槽
▲２▼ 上蓋
▲３▼ 底蓋兼ベースプレート
▲４▼ 隔て板
▲５▼ 水通過孔
▲６▼ 入水口バルブ
▲７▼ 水射出エルボ
▲８▼ 出水口バルブ
▲９▼ 断水時取水バルブ
▲１０▼ 架台
▲１１▼ 取付ボルト
▲１２▼ アンカーボルト
▲１３▼ 基礎コンクリート
▲１４▼ 隙間
▲１５▼ 右室
▲１６▼ 左室
▲１７▼ 流出口
▲１８▼ 貯水流入口
▲１９▼ 断水時取水口
▲２０▼ 吸排気口バルブ
【図１】
0005867632.tif 000002
【図２】
0005867632.tif 000003
【図３】
0005867632.tif 000004
【図４】
0005867632.tif 000005
【図５】
0005867632.tif 000006
【図６】
0005867632.tif 000007